(57)【要約】【課題】１本のパターで、Ｌ型、Ｔ型、Ｆ型などの種々のタイプのパターが持つ特長を発揮できるようにしたゴルフパターヘッドを提供する。【解決手段】ヘッド本体（１）とシャフトを接続するホゼル部（４）とを別体で製作したゴルフパターヘッドにおいて、ヘッド本体の上部に位置し、ヒール（１Ｂ）からトウ（１Ｃ）方向にわたって３以上のホゼル部着脱用の取付部（２）を形成し、ホゼル部をシャフト接続部（４１）とヘッド本体の所望の取付部に取付くための被取付部（４３）とから構成したものである。【選択図】図１
2010259578.tif 000002
【特許請求の範囲】
【請求項１】
ヘッド本体とシャフトを接続するホゼル部とを別体で製作したゴルフパターヘッドにおいて、
ヘッド本体の上部に位置し、ヒールからトウ方向にわたって３以上のホゼル部着脱用の取付部を形成し、
ホゼル部をシャフト接続部とヘッド本体の所望の取付部に取付くための被取付部とから構成したことを特徴とするゴルフパターヘッド。
【請求項２】
前記ヘッド本体の取付部をねじ孔とし、ホゼル部の被取付部をこのねじ孔より大きい孔とし、この孔からねじ孔にねじをねじ込んでホゼル部をヘッド本体の取付部に取付けることを特徴とする請求項１に記載のゴルフパターヘッド。
【請求項３】
前記ヘッド本体の取付部のねじ孔は、フェースに平行な直線上に形成され、各ねじ孔の中心を結ぶように直線状の溝を設け、ホゼル部の底部にこの溝に嵌まり込む凸部を設けたことを特徴とする請求項２に記載のゴルフパターヘッド。
【請求項４】
前記ホゼル部の種々の形態から選択されることを特徴とする請求項１ないし３のいずれか１項に記載のゴルフパターヘッド。
【請求項５】
フェース部を有するヘッド本体をアルミニウム合金で形成し、ホゼル部をステンレスで形成したことを特徴とする請求項１ないし４のいずれか１項に記載のゴルフパターヘッド。
【請求項６】
前記ヘッド本体の背後にバックボディを取付けたことを特徴とする請求項１ないし５のいずれか１項に記載のゴルフパターヘッド。
【発明の詳細な説明】
【技術分野】
【０００１】
本発明は、ゴルフゲームに用いるゴルフパターヘッド、特にゴルファー個人の好みに合わせてカスタマイズすることのできるゴルフパターヘッドに関する。
【背景技術】
【０００２】
カスタマイズ可能なゴルフパターヘッドとしては、フェース部材とバックボディとを備え、フェース部材は、ヒール末端と、トウ末端と、ゴルフボール打撃用にアレンジされた前面（フェース）と、背面（バックフェース）と、該ヒール末端からトウ末端との間に伸び且つ該前面と背面との間に配置されたトップレッジとを有し、フェース部材は背面に形成された窪みを包含しており、その窪みはリム面に囲まれた凹形状の底面を有し、バックボディはフェース部材の背面に取り付けられ、そのフェース部材の背面に形成された窪み内に配置される接合部を有し、そのバックボディの接合部は、フェース部材のトップレッジの下側に配置されるアッパーエッジを有し、そしてフェース部材とバックボディとの間の分割線がフェース部材のトップレッジにより隠されるように構成したものが知られている（特許文献１参照）。
【０００３】
特許文献１に記載のものは、それ以前のパターヘッドが、いずれも実質的に平面である接合面を伴って形成された２つの部品を有するものであったので、この接合面は、組み立てられたヘッドにおける２つの部品の間に目立った分割線を出現させるという不都合を生じ、このような不都合を解消するためになされたものである。特許文献１記載のヘッドでは、分割線が隠れて見えないようにすることができるとともに、フェース部材及びバックボディは、複数の異なる形態（形状、構成、配置、輪郭等）のフェース部材及びバックボディの中からそれぞれ選択されて組合せられるという点でカスタマイズ可能なものである。
【先行技術文献】
【特許文献】
【０００４】
【特許文献１】特開２００２−２２４２５４号公報
【発明の概要】
【発明が解決しようとする課題】
【０００５】
特許文献１に記載のものでは、フェース部材、バック部材のいろいろな形態のものを組合せることはできても、ホゼル部のヘッドへの取付位置を可変にしたりすることはできないものであった。
【０００６】
フェース部のヒール端外側にシャフトが固定され、アイアンゴルフクラブと同じ感覚でストロークでき、ボールが良く見えてパッティングラインにスクエアにフェースを構え易いＬ型のパター、シャフト軸の延長線上にスィートスポットがあって、重心距離が小さいためストローク時にボールをスィートスポットに正確に当て易いとされるＴ型のパター、このＴ型とＬ型の中間的な形をとるパター、あるいはピン型、マレット型などの種々のタイプのパターが知られている。ひとつのパターヘッドをこれら種々のタイプに変えられるならば、プレーするゴルフ場のグリーンに合わせたり、プレイヤーの気分に合わせたりすることができ、スコアメークにつながったり、さらにゴルフを楽しむことができる。
【０００７】
実際のゴルフプレーに際しては、ゴルフ場毎にグリーンの設計が異なることや、ゴルファーのプレー自体の状況変化から、常時携帯する１本のパターで、より多くの特長や機能を発揮させることが要望されるに至った。
【０００８】
そこで、本発明は、１本のパターで、Ｌ型、Ｔ型などの種々のタイプのパターが持つ特長を発揮できるようにしたゴルフパターヘッドを提供することを目的とする。
【課題を解決するための手段】
【０００９】
上述の目的を達成するため、本発明は、ヘッド本体とシャフトを接続するホゼル部とを別体で製作したゴルフパターヘッドにおいて、ヘッド本体の上部に位置し、ヒールからトウ方向にわたって３以上のホゼル部着脱用の取付部を形成し、ホゼル部をシャフト接続部とヘッド本体の所望の取付部に取付くための被取付部とから構成したものである。
【００１０】
また、前記ヘッド本体の取付部をねじ孔とし、ホゼル部の被取付部をこのねじ孔より大きい孔とし、この孔からねじ孔にねじをねじ込んでホゼル部をヘッド本体の取付部に取付けるようにしたものである。
【００１１】
さらに、前記ヘッド本体の取付部のねじ孔は、フェースに平行な直線上に形成され、各ねじ孔の中心を結ぶように直線状の溝を設け、ホゼル部の底部にこの溝に嵌まり込む凸部を設けたものである。
【００１２】
さらにまた、前記ホゼル部の種々の形態から選択されるようにしたものであり、フェース部を有するヘッド本体をアルミニウム合金で形成し、ホゼル部をステンレスで形成したものである。なおまた、前記ヘッド本体の背後にバックボディを取付けたものである。
【発明の効果】
【００１３】
本発明によれば、ヘッド本体とシャフトを接続するホゼル部とを別体で製作したゴルフパターヘッドにおいて、ヘッド本体の上部に位置し、ヒールからトウ方向にわたって３以上のホゼル部着脱用の取付部を形成し、ホゼル部をシャフト接続部とヘッド本体の所望の取付部に取付くための被取付部とから構成したので、ホゼル部のヘッド本体への取付位置を変えられ、Ｌ型、Ｔ型などの種々のタイプのパターを、１本のパターから作れる。したがって、プレーするゴルフコースのグリーンの特徴と、プレイヤーの技術に最も適したタイプのパターを１本のパターから得ることができる。
【００１４】
また、前記ヘッド本体の取付部をねじ孔とし、ホゼル部の被取付部をこのねじ孔より大きい孔とし、この孔からねじ孔にねじをねじ込んでホゼル部をヘッド本体の取付部に取付けるようにしたものでは、ホゼル部とヘッド本体との着脱構造が簡単で、かつ確実な取付けができる。さらに、前記ヘッド本体の取付部のねじ孔は、フェースに平行な直線上に形成され、各ねじ孔の中心を結ぶように直線状の溝を設け、ホゼル部の底部にこの溝に嵌まり込む凸部を設けたものでは、ホゼル部の位置決めを正確に行うことができる。
【００１５】
前記ホゼル部の種々の形態から選択されるようにしたものでは、シャフトとフェースとの関係において、グース具合（シャフトがフェースより前に出る具合）を変化させたり、重心距離や慣性モーメントを変えることも簡単にできる。また、フェースを有するヘッド本体をアルミニウム合金で形成し、ホゼル部をステンレスで形成したものでは、重心位置を所定の高さとし、ボールの赤道をフェース面上の重心高さ位置で正確に打つことができる。
【００１６】
前記ヘッド本体の背後にバックボディを取付けることにより、ピンタイプやマレットタイプなどのヘッド形状のものを容易に得ることができる。
【図面の簡単な説明】
【００１７】
【図１】フェースを備えたヘッド本体にホゼル部を取付ける状態の斜視図。
【図２】ヘッド本体の斜視図。
【図３】ホゼル部の底面側から見た斜視図。
【図４】バックボディを取付けた斜視図。
【図５】ホゼル部の変形例を示す斜視図。
【図６】ホゼル部の他の変形例を示す斜視図。
【発明を実施するための形態】
【００１８】
以下に本発明の好適な実施形態を図面を参照にして説明する。
【００１９】
図１は、フェース１Ａがヒール１Ｂからトウ１Ｃの間に形成されたヘッド本体１の上部に形成された複数のねじ孔から成る取付部２の所望の位置にホゼル部４を取付けようとする状態を示し、ホゼル部４をねじ５でヘッド本体１に取付けようとするものである。前記ホゼル部４は、図示しないシャフトが挿入固着されるホゼル孔から成るシャフト接続部４１が形成された筒部４０と、この筒部４０の底部に形成された取付板４２にあけられた２つの孔から成る被取付部４３とから成る。前記ヘッド本体１は、ホゼル部４に比べて比重の小さい、例えばアルミニウム合金で形成し、図示する実施形態では、細長い棒状に形成してあるが、バックフェース１Ｄ側をもっと張り出して上部の幅（フェース１Ａとバックフェース１Ｄとの間の長さ）を大きくしたものであってもよい。前記取付部２は、ねじ孔でなくともよく、ヘッド本体１の上部に位置し、ヒール１Ｂからトウ１Ｃ方向にわたって３以上形成された孔、突起、溝などであってもよい。前記ねじ５としては、鋼にクロムメッキを施したものを使用した。
【００２０】
前記ホゼル部４は、ヘッド本体１を形成する材料よりも比重の大きな、例えばステンレスや銅合金などで形成し、ホゼル部４をヘッド本体１に取付けてパターヘッドを構成したとき、ヘッドの重心位置が所定の高さになるようにすることが望ましい。なお、ホゼル部４をアルミ合金で形成することもできる。パターヘッドにおいて、一般的に、ロフト角が３°〜５°を有しているため、低重心よりも比較的高重心であった方が、打ち出し角を低く抑え、バックスピン量を減らすことができる。そのため、重心の高いパターヘッドを使用した場合、安定したボールの転がりを得ることが出来る。
【００２１】
前記ホゼル部４の被取付部４３は、ホゼル部４のヘッド本体１への取付後にホゼル部４が回動するのを防止するために２つの孔から構成したが、ヘッド本体１の取付部２に着脱可能に取付く手段であれば２つの孔である必要はない。また、後述するが、ホゼル部４の形状は、図示するものに限定されるものではなく、筒部４０の下にヘッド本体１から所定の高さ立ち上るためのアームを設けたり、このアームを所定の形状に折り曲げたりした種々の形態のものを用意し、これらから選択してヘッド本体１に取付けることができるものである。
【００２２】
図２は、ヘッド本体１を示し、フェース１Ａに平行な直線上に取付部２となる６つのねじ孔を形成し、各ねじ孔の中心を結ぶように直線状の溝３を設けてある。この溝３には、図３に示すホゼル部４の底部に形成された凸部４４が嵌まり込んで、ホゼル部４のヘッド本体１への取付位置の位置決めを図り、ホゼル部４の回動を防止している。
【００２３】
図４は、ヘッド本体１のバックフェース１Ｄにバックボディ６を取付け、マレット型のパターヘッドを構成した例を示す。バックボディ６はプラスチック材料で形成することが好ましい。このバックボディ６の内部にウェイト部材（図示せず）を設け、パターヘッドの重心位置を調整することができる。
【００２４】
図５及び図６は、ホゼル部４の上部分の変形例を示し、アーム４５がまっすぐなものと折曲部分を有するものとを示す。なお、筒部４０にホゼル孔を形成したが、ホゼル孔の替りに突起を形成し、この突起をシャフトに挿入固定することもできる。
【符号の説明】
【００２５】
１    ヘッド本体
１Ａ  フェース
１Ｂ  ヒール
１Ｃ  トウ
１Ｄ  バックフェース
２    取付部
３    溝
４    ホゼル部
４０  筒部
４１  シャフト接続部
４２  取付板
４３  被取付部
４４  凸部
４５  アーム
６    バックボディ
【図１】
2010259578.tif 000003
【図２】
2010259578.tif 000004
【図３】
2010259578.tif 000005
【図４】
2010259578.tif 000006
【図５】
2010259578.tif 000007
【図６】
2010259578.tif 000008